【手続補正書】
【提出日】平成16年1月29日(2004.1.29)
【手続補正１】
【補正対象書類名】明細書
【補正対象項目名】請求項５
【補正方法】変更
【補正の内容】
【請求項５】
第２の接触材集積層の洗浄工程を実施するものの、同時には、第１の接触材集積層の洗浄工程を実施しない場合には、第２の接触材集積層の洗浄工程では、
前段凝集手段への原水の流入を停止し、かつ前段凝集手段から凝集沈殿手段への一次処理水の流入を停止するステップと、
次いで、前段凝集手段を原水の流入停止時の状態に保持しつつ第２の接触材集積層を洗浄するステップと、
次いで、原水を前段凝集手段に及び一次処理水を凝集沈殿手段にそれぞれ通水し、処理水を得るステップと
を有することを特徴とする請求項３又は４に記載の凝集沈殿装置の運転方法。
【手続補正２】
【補正対象書類名】明細書
【補正対象項目名】００２５
【補正方法】変更
【補正の内容】
【００２５】
本発明で、凝集沈殿手段を前段凝集手段から分離する手段とは、例えば前段凝集手段から凝集沈殿手段に流れる一次処理水管に設けた開閉弁である。好適には、更に、前段凝集手段をバイパスする原水の流路を設け、前段凝集手段をバイパスして凝集剤の添加手段から、直接、凝集沈殿手段に原水を流すようにする。
本発明において、上記接触材集積層の洗浄手段としては接触材集積層に蓄積したフロックを排出できる限りいかなる洗浄手段でもよいが、洗浄操作が容易でかつ良好な洗浄効果が得られるという点で、接触材集積層中の滞留水を排水する機構を備えているもの、又は接触材集積層を空気攪拌洗浄する機構と接触材集積層中の滞留水を排水する機構とを備えているものが好ましい。
排水する機構は、前段凝集手段の滞留水を排水できる開閉弁付き排水管であって、出来るだけ急速に排水できるように、排水管は、前段凝集手段への原水の流入管と少なくとも同じ管径とする。


【手続補正３】
【補正対象書類名】明細書
【補正対象項目名】００２７
【補正方法】変更
【補正の内容】
【００２７】
本発明方法では、定期的に、随時に、または、処理水の水質、代表的には処理水の濁度が目標値を越えた時点（目標値より悪化した時点の意）で、第２の接触材集積層を洗浄し、通常、第１の接触材集積層を洗浄することなく、直ちに通水を再開する。なお、処理水の水質の指標としては、濁度の他に水中の微粒子数等も採用することができる。
第１の接触材集積層の洗浄を行っていないので、第１の接触材集積層は、フロックの粗大化を十分に行うことができる。従って、被処理水中の懸濁物のうち粗大化したフロックとなったものの一部は、第２の接触材集積層に流入する前に第２の処理槽の原水流入ゾーンで沈澱分離され、一部は第２の接触材集積層にて捕捉される。
従って、この通水再開の初期段階でも懸濁物が十分に粗大化し、捕捉されるので、従来のように、懸濁物が第２の接触材集積層を通過し、処理水の濁度が高くなるようなことはない。


【手続補正４】
【補正対象書類名】明細書
【補正対象項目名】００２９
【補正方法】変更
【補正の内容】
【００２９】
本発明方法の好適な実施態様では、第２の接触材集積層の洗浄工程を実施するものの、同時には、第１の接触材集積層の洗浄工程を実施しない場合には、第２の接触材集積層の洗浄工程では、
前段凝集手段への原水の流入を停止し、かつ前段凝集手段から凝集沈殿手段への一次処理水の流入を停止するステップと、
次いで、前段凝集手段を原水の流入停止時の状態に保持しつつ第２の接触材集積層を洗浄するステップと、
次いで、原水を前段凝集手段に及び一次処理水を凝集沈殿手段にそれぞれ通水し、処理水を得るステップと
を有する。


【手続補正５】
【補正対象書類名】明細書
【補正対象項目名】００３５
【補正方法】変更
【補正の内容】
【００３５】
尚、第１の集積層７４の洗浄工程の間、バイパス管１１５を使って原水を直接凝集沈殿槽７６に流入させ、原水の処理を続行するようにしても良い。
また、第１の処理槽７２の第１の集積層７４の下方に空気攪拌洗浄機構を設け、排水する前に、空気攪拌洗浄するようにしても良い。
更に、上述の実施形態においては、第１の集積層７４及び第２の集積層４４の洗浄を、これらの層内に滞留している水を排出することによって行ったが、洗浄方法はこれに限らず、例えば集積層７４あるいは集積層４４の下方に洗浄用水の供給手段を設け、該供給手段から洗浄用水を上昇流で集積層内に供給し、洗浄排水を槽の上部から排出することによって洗浄するようにしてもよい。


【手続補正６】
【補正対象書類名】明細書
【補正対象項目名】００３６
【補正方法】変更
【補正の内容】
【００３６】
実施形態例２
本実施形態例は、本発明に係る凝集沈殿装置の実施形態の別の例であって、図２は本実施形態例の凝集沈殿装置の凝集沈殿槽の構成を示す模式図である。
本実施形態例の凝集沈殿装置は、第２の多段集積層式の凝集沈殿装置の改良型であって、凝集沈殿槽１２０の構成が図８の凝集沈殿槽９０とは次の点で異なっていることを除いて第２の多段集積層式の凝集沈殿装置と構成が同じである。
（１）凝集沈殿槽１２０は、独立した第１の処理槽１２１を凝集沈殿槽１２０内に備えている。第１の処理槽１２１は、槽側壁１２１ａの上縁が集水トラフ４８に処理水を流入させる溢流堰１２０ａより高い。
（２）流入管３０に開閉弁１２２を、流入管３０の開閉弁１２２の下流から開閉弁付き排水管１２３を、第１の処理槽１２１をバイパスする開閉弁付きバイパス管１２４をそれぞれ設ける。排水管１２３及びバイパス管１２４の管径は、流入管３０と同じ管径である。
（３）第２の集積層９２から滞留水を排水する排水管１２５を設ける。


【手続補正７】
【補正対象書類名】明細書
【補正対象項目名】００３７
【補正方法】変更
【補正の内容】
【００３７】
洗浄方法
本凝集沈殿装置の洗浄方法は、基本的には、実施形態例１の凝集沈殿装置１１０の洗浄方法と同じであって、第２の集積層９２を洗浄する際には、開閉弁１２２を閉止して、原水の第１の処理槽１２１への流入を停止し、従って凝集沈殿槽１２０への一次処理水の流入を停止すると共に、第１の処理槽１２１をその状態に保持する。
次いで、第２の集積層９２の洗浄を従来と同様に行い、第２の集積層９２の滞留水を排水管１２５から排水する。


【手続補正８】
【補正対象書類名】明細書
【補正対象項目名】００３８
【補正方法】変更
【補正の内容】
【００３８】
また、第１の集積層９４を洗浄する際には、開閉弁１２２を閉止して、原水の第１の処理槽１２１への流入を停止し、従って凝集沈殿槽１２０への一次処理水の流入を停止する。
次いで、第１の処理槽１２１以外の凝集沈殿槽１２０を原水の流入停止時の状態に保持しつつ排水管１２３の開閉弁を開放して第１の処理槽１２１内の滞留水を排水することにより、第１の集積層９４を洗浄する。
尚、第１の集積層９４の洗浄工程の間、バイパス管１２４を使って原水を直接凝集沈殿槽１２０に流入させて原水の処理を続行するようにしても良い。
また、第１の処理槽１２１の第１の集積層９４の下方に空気攪拌洗浄機構を設け、排水する前に、空気攪拌洗浄するようにしても良い。


【手続補正９】
【補正対象書類名】明細書
【補正対象項目名】００４６
【補正方法】変更
【補正の内容】
【００４６】
実験例と比較例との比較から、実験例は、比較例に比べて水の回収率が高く、また、処理水の濁度の上昇速度も比較例に比べて低いことが判る。
以上の実験から、本実施形態例の凝集沈殿装置１１０及びその運転方法は、従来の装置及び運転方法に比べて、水の回収率及び処理水の濁度が安定している点で優れていると評価できる。


【手続補正１０】
【補正対象書類名】明細書
【補正対象項目名】００４８
【補正方法】変更
【補正の内容】
【００４８】
【発明の効果】
本発明によれば、凝集沈殿装置を運転中に、定期的に、随時に、又は処理水の水質が目標値より悪化した時に、第１の接触材集積層の洗浄工程及び第２の接触材集積層の洗浄工程の少なくともいずれか一方を行うように構成し、かつ、そのように運転することにより、洗浄間隔が長く、しかも洗浄直後から水質目標値を満足する処理水を得ることができる。
本発明装置及び発明方法を適用することにより、水の回収率を大幅に向上させることができる。


【手続補正１１】
【補正対象書類名】明細書
【補正対象項目名】図１
【補正方法】変更
【補正の内容】
【図１】実施形態例１の凝集沈殿装置の構成を示す模式図である。